(57)【要約】【課題】利用シーンに適した地図を提供することができる表示装置、通信機器、地図表示システム、表示方法、通信方法およびプログラムを提供する。【解決手段】撮像装置１ａは、ネットワークを介して地図データを取得する通信機器２と通信可能な第１通信部１３と、第１通信部１３および通信機器２を介してネットワークから地図データの一部を指定して取得する地図取得部１９２と、地図取得部１９２が取得した地図データに対応する地図を表示する第１表示部１５と、を備える。【選択図】図１０
2015201727.tif 000002
【特許請求の範囲】
【請求項１】
ネットワークを介して地図データを取得する通信機器と通信可能な通信部と、
前記通信部および前記通信機器を介して前記ネットワークから前記地図データの一部を指定して取得する地図取得部と、
前記地図取得部が取得した前記地図データに対応する地図を表示する表示部と、
を備えたことを特徴とする表示装置。
【請求項２】
ネットワークを介して地図データを取得する通信機器において、
前記地図データに対応する地図を表示可能な表示部を有する外部の表示機器と通信可能な通信部と、
前記表示部に前記地図の一部を表示するために、前記ネットワークを介して前記地図データの一部を指定して取得する地図取得部と、
前記通信部を介して前記地図取得部が取得した前記地図データの一部を前記表示機器へ送信する通信制御部と、
を備えたことを特徴とする通信機器。
【請求項３】
ネットワークを介して地図データを取得する通信機器と、前記通信機器と通信可能な表示装置と、を備えた地図表示システムにおいて、
前記通信機器を介して前記ネットワークから前記地図データの一部を指定して取得する地図取得部と、
前記地図取得部が取得した前記地図データに対応する地図を表示する表示部と、
を備えたことを特徴とする地図表示システム。
【請求項４】
ネットワークを介して地図データを取得する通信機器と、前記通信機器と通信可能であり、前記地図データに対応する地図を表示可能な表示部を有する表示装置と、を備えた地図表示システムにおいて、
前記表示部に前記地図の一部を表示するために、前記ネットワークを介して前記地図データの一部を指定して取得する地図取得部と、
前記地図取得部が取得した前記地図データの一部を前記表示装置へ送信する通信制御部と、
を備えたことを特徴とする地図表示システム。
【請求項５】
ネットワークを介して地図データを取得する通信機器と通信可能な通信部を備えた表示装置が実行する表示方法であって、
前記通信機器を介して前記ネットワークから前記地図データの一部を指定して取得する地図取得ステップと、
前記地図取得ステップにおいて取得した前記地図データに対応する地図を表示する表示ステップと、
を含むことを特徴とする表示方法。
【請求項６】
ネットワークを介して地図データを取得する通信機器が実行する通信方法であって、
前記地図データに対応する地図を表示可能な表示部を有する外部の表示機器に対して、前記地図の一部を表示するために、前記ネットワークを介して前記地図データの一部を指定して取得する地図取得ステップと、
前記地図取得ステップにおいて取得した前記地図データの一部を前記表示機器へ送信する通信制御ステップと、
を含むことを特徴とする通信方法。
【請求項７】
ネットワークを介して地図データを取得する通信機器と通信可能な通信部を備えた表示装置に、
前記通信機器を介して前記ネットワークから前記地図データの一部を指定して取得する地図取得ステップと、
前記地図取得ステップにおいて取得した前記地図データに対応する地図を表示する表示ステップと、
を実行させることを特徴とするプログラム。
【請求項８】
ネットワークを介して地図データを取得する通信機器に、
前記地図データに対応する地図を表示可能な表示部を有する外部の表示機器に対して、前記地図の一部を表示するために、前記ネットワークを介して前記地図データの一部を指定して取得する地図取得ステップと、
前記地図取得ステップにおいて取得した前記地図データの一部を前記表示機器へ送信する通信制御ステップと、
を実行させることを特徴とするプログラム。
【発明の詳細な説明】
【技術分野】
【０００１】
本発明は、画像データを表示可能な表示装置、表示機器と通信可能な通信機器、地図表示システム、表示方法、通信方法およびプログラムに関する。
【背景技術】
【０００２】
近年、デジタルカメラ等の撮像装置において、現在地付近からランドマークや観光名所を撮影可能な撮影ポイントをユーザに提示する技術が知られている（特許文献１参照）。この技術では、複数の撮像装置によって撮影された撮影ポイントに関する履歴情報を表示させる。
【先行技術文献】
【特許文献】
【０００３】
【特許文献１】特開２００５−４５３９８号公報
【発明の概要】
【発明が解決しようとする課題】
【０００４】
しかしながら、上述した特許文献１では、利用シーンに適した地図を提示することができなかった。
【０００５】
本発明は、上記に鑑みてなされたものであって、利用シーンに適した地図を提供することができる表示装置、通信機器、地図表示システム、表示方法、通信方法およびプログラムを提供することを目的とする。
【課題を解決するための手段】
【０００６】
上述した課題を解決し、目的を達成するために、本発明に係る表示装置、ネットワークを介して地図データを取得する通信機器と通信可能な通信部と、前記通信部および前記通信機器を介して前記ネットワークから前記地図データの一部を指定して取得する地図取得部と、前記地図取得部が取得した前記地図データに対応する地図を表示する表示部と、を備えたことを特徴とする。
【０００７】
また、本発明に係る通信機器は、ネットワークを介して地図データを取得する通信機器において、前記地図データに対応する地図を表示可能な表示部を有する外部の表示機器と通信可能な通信部と、前記表示部に前記地図の一部を表示するために、前記ネットワークを介して前記地図データの一部を指定して取得する地図取得部と、前記通信部を介して前記地図取得部が取得した前記地図データの一部を前記表示機器へ送信する通信制御部と、を備えたことを特徴とする。
【０００８】
また、本発明に係る地図表示システムは、ネットワークを介して地図データを取得する通信機器と、前記通信機器と通信可能な表示装置と、を備えた地図表示システムにおいて、前記通信機器を介して前記ネットワークから前記地図データの一部を指定して取得する地図取得部と、前記地図取得部が取得した前記地図データに対応する地図を表示する表示部と、を備えたことを特徴とする。
【０００９】
また、本発明に係る地図表示システムは、ネットワークを介して地図データを取得する通信機器と、前記通信機器と通信可能であり、前記地図データに対応する地図を表示可能な表示部を有する表示装置と、を備えた地図表示システムにおいて、前記表示部に前記地図の一部を表示するために、前記ネットワークを介して前記地図データの一部を指定して取得する地図取得部と、前記地図取得部が取得した前記地図データの一部を前記表示装置へ送信する通信制御部と、を備えたことを特徴とする。
【００１０】
また、本発明に係る表示方法は、ネットワークを介して地図データを取得する通信機器と通信可能な通信部を備えた表示装置が実行する表示方法であって、前記通信機器を介して前記ネットワークから前記地図データの一部を指定して取得する地図取得ステップと、前記地図取得ステップにおいて取得した前記地図データに対応する地図を表示する表示ステップと、を含むことを特徴とする。
【００１１】
また、本発明に係る通信方法は、ネットワークを介して地図データを取得する通信機器が実行する通信方法であって、前記地図データに対応する地図を表示可能な表示部を有する外部の表示機器に対して、前記地図の一部を表示するために、前記ネットワークを介して前記地図データの一部を指定して取得する地図取得ステップと、前記地図取得ステップにおいて取得した前記地図データの一部を前記表示機器へ送信する通信制御ステップと、を含むことを特徴とする。
【００１２】
また、本発明に係るプログラムは、ネットワークを介して地図データを取得する通信機器と通信可能な通信部を備えた表示装置に、前記通信機器を介して前記ネットワークから前記地図データの一部を指定して取得する地図取得ステップと、前記地図取得ステップにおいて取得した前記地図データに対応する地図を表示する表示ステップと、を実行させることを特徴とする。
【００１３】
また、本発明に係るプログラムは、ネットワークを介して地図データを取得する通信機器に、前記地図データに対応する地図を表示可能な表示部を有する外部の表示機器に対して、前記地図の一部を表示するために、前記ネットワークを介して前記地図データの一部を指定して取得する地図取得ステップと、前記地図取得ステップにおいて取得した前記地図データの一部を前記表示機器へ送信する通信制御ステップと、を実行させることを特徴とする。
【発明の効果】
【００１４】
本発明によれば、利用シーンに適用した地図を提供することができるという効果を奏する。
【図面の簡単な説明】
【００１５】
【図１】図１は、本発明の実施の形態１に係る撮像装置の機能構成を示すブロック図である。
【図２】図２は、本発明の実施の形態１に係る撮像装置が実行する処理の概要を示すフローチャートである。
【図３】図３は、本発明の実施の形態１に係る撮像装置が表示するライブビュー画像の一例を示す図である。
【図４】図４は、本発明の実施の形態１に係る撮像装置が表示する画像一覧の一例を示す図である。
【図５】図５は、図２の第１地図表示処理の概要を示すフローチャートである。
【図６】図６は、本発明の実施の形態１に係る撮像装置の第２表示部が撮影モード時に表示する画像の一例を示す図である。
【図７】図７は、本発明の実施の形態１に係る撮像装置の第１表示部が撮影モード時に表示する画像の一例を示す図である。
【図８】図８は、本発明の実施の形態１に係る撮像装置の第１表示部が再生モード時に表示する画像の一例を示す図である。
【図９】図９は、図２の第２地図表示処理の概要を示すフローチャートである。
【図１０】図１０は、本発明の実施の形態２に係る撮像システムの機能構成を示すブロック図である。
【図１１】図１１は、本発明の実施の形態２に係る撮像装置が実行する処理の概要を示すフローチャートである。
【図１２】図１２は、本発明の実施の形態２に係る撮像システムにおいて撮像装置と通信機器との画像のやり取りを模式的に示す図である。
【図１３】図１３は、本発明の実施の形態２に係る通信機器が実行する処理の概要を示すフローチャートである。
【図１４】図１４は、本発明の実施の形態３に係る撮像システムの概略構成図である。
【図１５】図１５は、本発明の実施の形態３に係る撮像システムの機能構成を示すブロック図である。
【図１６】図１６は、本発明の実施の形態３に係る撮像装置が実行する処理の概要を示すフローチャートである。
【図１７】図１７は、本発明の実施の形態３に係る通信機器が実行する処理の概要を示すフローチャートである。
【図１８】図１８は、本発明の実施の形態４に係る通信システムの概略構成図である。
【図１９】図１９は、本発明の実施の形態４に係るサーバの機能構成を示すブロック図である。
【発明を実施するための形態】
【００１６】
以下、図面を参照して、本発明を実施するための形態（以下、「実施の形態」という）について説明する。なお、以下の実施の形態により本発明が限定されるものではない。また、図面の記載において、同一の部分には同一の符号を付して説明する。なお、以下において、表示装置の一例として画像データを表示可能な表示部を備えた撮像装置を例に説明する。
【００１７】
（実施の形態１）
〔撮像装置の構成〕
図１は、本発明の実施の形態１に係る撮像装置の機能構成を示すブロック図である。図１では、ネットワーク（インターネット）を介して地図データを取得する第１の機器と、表示部を有する第２の機器（表示装置）とからなる主に地図を表示装置に表示する地図表示システムであるが、上記第１と第２の機器それぞれがお互いに通信する通信部を有し、上記表示部に上記地図データ（地図情報）の一部を表示するために、上記第１の機器が、上記地図データの一部を指定したり、反対に上記第２の機器が、上記地図データの一部を指定したりする地図取得部とを有することを特徴とする地図表示システムとなっている。ここでは、カメラ（撮像装置）を表示装置（つまり第２の機器）の例にして、使用シーンと必要地図部の関係を最適化した例を示す。
【００１８】
図１に示す撮像装置１ａは、撮像部１０と、位置取得部１１と、方位検出部１２と、第１通信部１３と、第２通信部１４と、第１表示部１５と、接眼表示部１６と、操作部１７と、記録部１８と、制御部１９と、を備える。
【００１９】
撮像部１０は、制御部１９の制御のもと、被写体を撮像し、この被写体の画像データを生成して制御部１９へ出力する。撮像部１０は、少なくとも被写体の被写体像を結像する光学系と、この光学系が結像した被写体像を受光して光電変換を行うことによって画像データを生成する撮像素子と、を有する。
【００２０】
位置取得部１１は、地上の物体の位置を測位する測定手段であるＧＰＳ（Global  Positioning  System）を構成する複数のＧＰＳ衛星から送信されてくる衛星の軌道情報を受信し、この受信した軌道情報に基づいて、撮影時や画像再生時における撮像装置１ａの位置情報を取得し、この位置情報を制御部１９に出力する。ここで、位置情報は、経度、緯度および時刻情報である。
【００２１】
方位検出部１２は、撮像部１０の光軸が略水平になる場合において、撮像部１０の光軸が視野領域を向いた方向を基準方位としたときの撮像装置１ａの方位を方位情報として検出し、この検出結果を制御部１９へ出力する。具体的には、方位検出部１２は、地磁気の垂直方向と水平方向の成分を検出し、北を基準とする基準方位と撮像装置１ａにおける撮像部１０の光軸とがなす角度を方位角として検出することによって、撮像装置１ａの方位を検出する。方位検出部１２は、地磁気センサ等によって構成される。
【００２２】
第１通信部１３は、制御部１９の制御のもと、外部機器、例えば携帯電話との間で通信に必要な信号を含む各種データの無線通信を所定のプロトコルに従って行う。第１通信部１３は、Ｗｉ-Ｆｉ（Wireless  Fidelity）（登録商標）通信を採用している。なお、第１通信部１３は、Ｗｉ-Ｆｉ通信の他、３Ｇ無線を利用した通信や、ＷｉＭＡＸ（Worldwide  Interoperability  for  Microwave  Access）通信等、他の通信を採用しても構わない。例えば、Ｗｉ-Ｆｉの場合、ローカルネットワークを想定し、機器の役割として、アクセスポイント、ステーションの関係があり、概略の接続処理としては、アクセスポイントが構築している無線ネットワークに、ステーションが接続する関係となる。大まかな接続シーケンスとしては、まず、アクセスポイントは、無線ネットワークを構築し、自分のネットワーク識別子(ＳＳＩＤ)を報知する。続いて、ステーションは、報知されているネットワーク識別子(ＳＳＩＤ)を検索し、所望のネットワーク(アクセスポイント)に接続する。多くの機器とのネットワークを想定するので、カバー範囲も広く、干渉の問題を考慮しながら厳密な識別ステップを踏むことになる。このため、接続確立に時間がかかることがある。ただし、データ通信は、アクセスポイント、ステーションそれぞれのタイミングでデータの送受信が可能である。
【００２３】
第２通信部１４は、外部機器との間で第１通信部１３とは異なる通信方式である第２通信を行うための通信インターフェースである。本実施の形態１では、第２通信部１４は、Ｂｌｕｅｔｏｏｔｈ（登録商標）通信を採用している。なお、第２通信部１４は、Ｂｌｕｅｔｏｏｔｈ通信の他、赤外線通信（IrDA（Infrared  Data  Association））等、他の通信を採用しても構わない。例えば、Ｂｌｕｅｔｏｏｔｈの場合、機器の役割としては、近距離の一対一関係のマスター、スレーブの関係となり、概略接続処理としては、マスターが、所望のスレーブを検索し接続を行うため、問い合わせと応答の関係だけで通信が成り立ち、簡便である。つまり、大まかな接続シーケンスとしては、まず、マスターは、スレーブ機器が存在するかの問い合わせ（Ｉｎｑｕｉｒｙ）を行う。続いて、スレーブは、マスターからの問い合わせ（Ｉｎｑｕｉｒｙ）に対し、応答を返す。その後、マスターは、応答があったスレーブのうち、所望のスレーブと接続する。ただし、データ通信は、マスターからのデータ送受信指示により、データ送受信を行い、マスターが許可しないとデータ送受信できない。
【００２４】
第１表示部１５は、制御部１９の制御のもと、撮像部１０が生成した画像データに対応する画像および／または位置取得部１１が取得した位置情報を含む地図データに対応する地図を表示する。ここで、画像の表示には、記録部１８に記録された画像データに対応する再生画像を表示する再生表示、および撮像部１０が連続的に生成する画像データに対応するライブビュー画像を順次表示するライブビュー画像表示等が含まれる。第１表示部１５は、液晶または有機ＥＬ（Electro  Luminescence）からなる表示パネルと駆動ドライバ等を用いて構成される。
【００２５】
接眼表示部１６は、制御部１９の制御のもと、撮像部１０が生成した画像データに対応する画像を表示する。接眼表示部１６は、物体検出部１６１と、第２表示部１６２と、を有する。物体検出部１６１は、近接する外部からの物体を検出する。物体検出部１６１は、赤外線センサ等を用いて構成される。第２表示部１６２は、第１表示部１５より表示領域が小さい表示領域を有し、制御部１９の制御のもと、撮像部１０が生成した画像データに対応する画像を表示する。第２表示部１６２は、液晶または有機ＥＬからなる表示パネルと駆動ドライバ等を用いて構成される。
【００２６】
操作部１７は、撮像装置１ａに関する各種の動作を指示する指示信号の入力を受け付ける。操作部１７は、撮像装置１ａの電源状態をオン状態またはオフ状態に切り換える電源スイッチ、撮像の指示を与えるレリーズ信号の入力を受け付けるレリーズスイッチおよび撮像装置１ａのモードを切り換えるモード切換スイッチ等を用いて構成される。また、操作部１７は、タッチパネル１７１を有する。タッチパネル１７１は、第１表示部１５の表示領域に重畳して設けられ、外部からの物体の接触位置に応じた信号の入力を受け付ける。
【００２７】
記録部１８は、制御部１９を介して入力される画像データ、撮像装置１ａを動作させるためのプログラム等を記録する。具体的には、記録部１８は、撮像装置１ａを動作させるためのプログラムを記録するプログラム記録部１８１と、画像データを記録する画像データ記録部１８２と、地図データを記録する地図情報記録部１８３と、を有する。ここで、画像データには、撮像部１０が撮影した際に位置取得部１１が取得した位置情報が各画像データに対応付けて記録されている。さらに、地図データには、地図上における特定の位置と、この位置に関連付けられた所定の情報とを含む地図情報が記録されている。ここで、所定の情報とは、対象物と、この対象物を撮影可能な撮影スポットとを対応付けた対象物情報、および撮像部１０が被写体を撮影した際に位置取得部１１が取得した位置情報である。また、対象物とは、ランドマーク、観光名所、駅舎や交番等の建物および風景等の撮影スポット等である。記録部１８は、ＳＤＲＡＭ（Synchronous  Dynamic  Random  Access  Memory）、Ｆｌａｓｈメモリおよびメモリカード等を用いて構成される。
【００２８】
制御部１９は、撮像装置１ａを構成する各部に対する指示やデータの転送等を行うことによって、撮像装置１ａの動作を統括的に制御する。制御部１９は、ＣＰＵ（Central  Processing  Unit）を用いて構成される。
【００２９】
ここで、制御部１９の詳細な構成について説明する。制御部１９は、モード設定部１９１と、地図取得部１９２と、推測部１９３と、撮影制御部１９４と、表示制御部１９５と、通信制御部１９６と、を有する。
【００３０】
モード設定部１９１は、操作部１７の操作に応じて、撮像装置１ａを撮影モード、再生モードおよび通信モードのいずれかに設定する。
【００３１】
地図取得部１９２は、位置取得部１１が取得した位置情報に基づいて、撮像装置１ａの現在地に対応する地図データを地図情報記録部１８３から取得する。具体的には、地図取得部１９２は、位置取得部１１が取得した位置情報が含まれる地図データを地図情報記録部１８３から切り出して取得する。この場合、地図取得部１９２は、所定の縮尺率の地図データを地図情報記録部１８３から取得する。
【００３２】
推測部１９３は、画像データ記録部１８２が記録する画像データに対応付けられた位置情報に基づいて、撮像装置１ａの移動方向を推測する。具体的には、推測部１９３は、画像データ記録部１８２が記録する複数の画像データそれぞれに対応付けられた位置情報に基づいて、特定の期間、例えば１時間内で撮影された画像データの位置情報に基づいて、撮像装置１ａの移動方向（移動軌跡）を推測する。
【００３３】
撮影制御部１９４は、撮像部１０の撮影を制御する。具体的には、撮影制御部１９４は、操作部１７からレリーズ信号が入力された場合、撮像部１０に撮影を実行させる。また、撮影制御部１９４は、操作部１７の操作に応じて、撮像部１０の撮影パラメータを変更する。
【００３４】
表示制御部１９５は、第１表示部１５および第２表示部１５２の表示態様を制御する。具体的には、表示制御部１９５は、撮像部１０が連続的に生成した画像データに対応するライブビュー画像を時系列に沿って第１表示部１５または第２表示部１５２に表示させる。また、表示制御部１９５は、モード設定部１９１によって撮像装置１ａが撮像部１０によって被写体を撮影する撮影モードに設定されている場合と、撮像装置１ａが撮像部１０によって生成された画像データを第１表示部１５または第２表示部１５２によって再生する再生モードに設定されている場合とで、位置取得部１１が取得した位置情報に基づいて、地図上における特定の位置と該位置に関連付けられた所定の情報とを含む地図情報の表示内容および第１表示部１５または第２表示部１５２が表示する地図の表示範囲をそれぞれ変更して第１表示部１５または第２表示部１６２に表示させる。さらに、表示制御部１９５は、撮像装置１ａの設定が撮影モードから再生モードに切り替わる場合または再生モードから撮影モードに切り替わる場合において、モードが切り替わる直前に表示した地図と、位置取得部１１が取得した位置情報を含む領域の一部とが重なるように地図の表示範囲を変更して第１表示部１５または第２表示部１６２に表示させる。
【００３５】
通信制御部１９６は、第１通信部１３および第２通信部１４それぞれの通信を制御する。具体的には、通信制御部１９６は、外部に画像データを送信する場合、第１通信部１３に画像データを送信させる。また、通信制御部１９６は、外部の機器と連携を行う場合、第２通信部１４に撮像装置１ａのアドレス情報等を外部の機器へ送信させる。
【００３６】
〔撮像装置１ａの処理〕
次に、撮像装置１ａが実行する処理について説明する。図２は、撮像装置１ａが実行する処理の概要を示すフローチャートである。
【００３７】
図２に示すように、まず、撮像装置１ａがモード設定部１９１によって撮影モードに設定されている場合（ステップＳ１０１：Ｙｅｓ）について説明する。この場合、撮影制御部１９４は、撮像部１０に撮像を実行させる（ステップＳ１０２）。
【００３８】
続いて、操作部１７を介して撮影パラメータの変更があった場合（ステップＳ１０３：Ｙｅｓ）、撮影制御部１９４は、撮像装置１ａの撮影パラメータを変更する（ステップＳ１０４）。ここで、撮影パラメータとは、焦点距離、焦点位置、絞り値、シャッタスピード、露出値、ＩＳＯ感度、彩度および色相のいずれかである。ステップＳ１０４の後、撮像装置１ａは、後述するステップＳ１０５へ移行する。これに対して、操作部１７を介して撮影パラメータの変更がない場合（ステップＳ１０３：Ｎｏ）、撮像装置１ａは、後述するステップＳ１０５へ移行する。
【００３９】
ステップＳ１０５において、第１表示部１５を使用する場合（ステップＳ１０５：Ｙｅｓ）、表示制御部１９５は、第２表示部１６２を停止するとともに、第１表示部１５に撮像部１０が生成したライブビュー画像データに対応するライブビュー画像を表示させる（ステップＳ１０６）。
【００４０】
続いて、表示制御部１９５は、第１表示部１５に地図の表示を指示する指示信号の入力を受け付ける地図アイコンをライブビュー画像に重畳して表示させる（ステップＳ１０７）。具体的には、図３に示すように、表示制御部１９５は、第１表示部１５が表示するライブビュー画像ＬＶ１上に、地図アイコンＡ１を重畳して表示させる。
【００４１】
その後、タッチパネル１７１を介して地図アイコンが選択された場合（ステップＳ１０８：Ｙｅｓ）、撮像装置１ａは、第１表示部１５または接眼表示部１６に、撮像装置１ａの現在地近傍において対象物（ランドマークや観光地）を撮影可能な撮影スポットと撮像装置１ａの現在地の地図とを表示させる第１地図表示処理を実行する（ステップＳ１０９）。なお、第１地図表示処理の詳細は後述する。
【００４２】
続いて、操作部１７の操作に応じて、地図の表示を終了する場合（ステップＳ１１０：Ｙｅｓ）、撮像装置１ａは、後述するステップＳ１１１へ移行する。これに対して、操作部１７の操作に応じて、地図の表示を終了しない場合（ステップＳ１１０：Ｎｏ）、撮像装置１ａは、ステップＳ１０９へ戻る。
【００４３】
ステップＳ１１１において、表示制御部１９５は、第１表示部１５に撮像部１０が生成した画像データに対応するライブビュー画像を表示させる。
【００４４】
続いて、操作部１７からレリーズ信号が入力され、撮影する場合（ステップＳ１１２：Ｙｅｓ）、撮影制御部１９４は、撮像部１０に撮影させて画像データを生成させ、この画像データを画像データ記録部１８２に記録する（ステップＳ１１３）。この場合、撮影制御部１９４は、位置取得部１１が取得した位置情報を画像データに対応付けて画像データ記録部１８２に記録してもよい。
【００４５】
その後、操作部１７を介して撮像装置１ａの電源がオフになった場合（ステップＳ１１４：Ｙｅｓ）、撮像装置１ａは、本処理を終了する。これに対して、操作部１７を介して撮像装置１ａの電源がオフになっていない場合（ステップＳ１１４：Ｎｏ）、撮像装置１ａは、ステップＳ１０１へ戻る。
【００４６】
ステップＳ１１２において、操作部１７からレリーズ信号が入力されず、撮影しない場合（ステップＳ１１２：Ｎｏ）、撮像装置１ａは、ステップＳ１１４へ移行する。
【００４７】
ステップＳ１０８において、タッチパネル１７１を介して地図アイコンが選択されていない場合（ステップＳ１０８：Ｎｏ）、撮像装置１ａは、ステップＳ１１１へ移行する。
【００４８】
ステップＳ１０５において、第１表示部１５を使用しない場合（ステップＳ１０５：Ｎｏ）、表示制御部１９５は、第１表示部１５を停止させるとともに、第２表示部１６２に撮像部１０が生成した画像データに対応するライブビュー画像を表示させる（ステップＳ１１５）。この場合、表示制御部１９５は、物体検出部１６１が外部から近接する物体を検出したとき、第１表示部１５を停止させて、第２表示部１６２にライブビュー画像を表示させる。
【００４９】
続いて、表示制御部１９５は、第２表示部１６２が表示するライブビュー画像上に、地図アイコンを重畳して表示させる（ステップＳ１１６）。ステップＳ１１６の後、撮像装置１ａは、ステップＳ１０８へ移行する。
【００５０】
次に、ステップＳ１０１でモード設定部１９１によって撮像装置１ａが撮影モードに設定されていない場合（ステップＳ１０１：Ｎｏ）において、モード設定部１９１によって撮像装置１ａが再生モードに設定されているとき（ステップＳ１１７：Ｙｅｓ）について説明する。この場合、表示制御部１９５は、画像データ記録部１８２が記録する複数の画像データにそれぞれ対応する複数の画像を一覧表示するとともに、地図アイコンを第１表示部１５に表示させる（ステップＳ１１８）。具体的には、図４に示すように、表示制御部１９５は、複数の画像Ｗ１〜Ｗ４を一覧表示するとともに、地図アイコンＡ１を第１表示部１５に表示させる。なお、表示制御部１９５は、画像Ｗ１〜Ｗ４および地図アイコンＡ１を第１表示部１５に表示させていたが、物体検出部１６１の検出結果に応じて第２表示部１６２に表示させてもよい。
【００５１】
続いて、タッチパネル１７１を介して地図アイコンが選択された場合（ステップＳ１１９：Ｙｅｓ）、撮像装置１ａは、第１表示部１５または第２表示部１６２に、撮像部１０が撮影した際に位置取得部１１が取得した位置情報が付加された地図を表示させる地図を表示する第２地図表示処理を実行する（ステップＳ１２０）。なお、第２地図表示処理の詳細は後述する。
【００５２】
その後、操作部１７の操作に応じて、地図の表示を終了する場合（ステップＳ１２１：Ｙｅｓ）、撮像装置１ａは、ステップＳ１１８へ戻る。これに対して、操作部１７の操作に応じて、地図の表示を終了しない場合（ステップＳ１２１：Ｎｏ）、撮像装置１ａは、ステップＳ１２０へ戻る。
【００５３】
ステップＳ１１９において、タッチパネル１７１を介して地図アイコンが選択されていない場合（ステップＳ１１９：Ｎｏ）、撮像装置１ａは、後述するステップＳ１２２へ移行する。
【００５４】
続いて、操作部１７の操作に応じて、複数の画像一覧から画像が選択された場合（ステップＳ１２２：Ｙｅｓ）、表示制御部１９５は、操作部１７によって選択された画像を拡大して第１表示部１５に再生させる（ステップＳ１２３）。
【００５５】
その後、操作部１７の操作に応じて、表示する画像の変更があった場合（ステップＳ１２４：Ｙｅｓ）、表示制御部１９５は、第１表示部１５が表示する画像を変更する（ステップＳ１２５）。ステップＳ１２５の後、撮像装置１ａは、ステップＳ１２３へ戻る。
【００５６】
ステップＳ１２４において、操作部１７の操作に応じて、表示する画像の変更がない場合（ステップＳ１２４：Ｎｏ）、撮像装置１ａは、ステップＳ１１４へ移行する。
【００５７】
ステップＳ１２２において、操作部１７の操作に応じて、複数の画像一覧から画像が選択されていない場合（ステップＳ１２２：Ｎｏ）、撮像装置１ａは、ステップＳ１１４へ移行する。
【００５８】
次に、ステップＳ１０１でモード設定部１９１によって撮像装置１ａが撮影モードに設定されておらず（ステップＳ１０１：Ｎｏ）、かつ、モード設定部１９１によって撮像装置１ａが再生モードに設定されていない場合（ステップＳ１１７：Ｎｏ）について説明する。この場合、撮像装置１ａは、外部機器に画像データを送信または所定のアドレス情報を双方向に行う通信設定処理を実行する（ステップＳ１２７）。ステップＳ１２７の後、撮像装置１ａは、ステップＳ１１４へ移行する。
【００５９】
〔第１地図表示処理〕
次に、図２のステップＳ１０９で説明した第１地図表示処理の概要について説明する。図５は、第１地図表示処理の概要を示すフローチャートである。
【００６０】
図５に示すように、画像データ記録部１８２に過去の画像データが有り（ステップＳ２０１：Ｙｅｓ）、かつ、過去の画像データが複数ある場合において（ステップＳ２０２：Ｙｅｓ）、第２表示部１６２が駆動中のとき（ステップＳ２０３：Ｙｅｓ）、表示制御部１９５は、撮像部１０が生成した画像データに対応するライブビュー画像と、撮像部１０の撮影方向の撮影スポットを含む地図と、を第２表示部１６２に表示させる（ステップＳ２０４）。
【００６１】
図６は、第２表示部１６２が撮影モード時に表示する画像の一例を示す図である。図６に示すように、表示制御部１９５は、ライブビュー画像ＬＶ１と、地図取得部１９２が地図情報記録部１８３から取得した撮像部１０の撮影方向を含む視野領域の撮影スポットが付加された地図Ｍ１と、を第２表示部１６２に並列させて表示させる。図６において、表示制御部１９５は、撮像装置１ａの現在地を点Ｐ１、地図Ｍ１上において対象物を撮影可能な撮影スポットをアイコンＰ１０、アイコンＰ１１、および直前に撮影した画像データを地図Ｍ１に対応付けた位置をアイコンＰＷ１によって重畳して第２表示部１６２に表示させる。さらに、表示制御部１９５は、地図の表示を終了する指示信号の入力を受け付ける撮影アイコンＡ２を第２表示部１６２に表示させる。
【００６２】
これにより、ユーザは、ライブビュー画像ＬＶ１を見ながら、現在地および撮影スポットそれぞれの位置を直感的に把握することができる。この結果、撮影の体勢を変えずに、撮影パラメータ、例えば焦点距離を変更しつつ、撮像部１０の撮影方向を変えることで、所望の対象物、例えばランドマークを撮影することができる。
【００６３】
続いて、表示制御部１９５は、第１表示部１５または第２表示部１６２が表示する地図上に、地図の表示を終了する終了アイコンと最新の撮影画像の位置を重畳して表示させる（ステップＳ２０５）。例えば、図６に示すように、表示制御部１９５は、終了アイコンとしての撮影アイコンＡ２およびアイコンＰＷ１を第１表示部１５または第２表示部１６２に表示させる。ステップＳ２０５の後、撮像装置１ａは、図２のメインルーチンへ戻る。
【００６４】
ステップＳ２０３において、第２表示部１６２が駆動中でないとき（ステップＳ２０３：Ｙｅｓ）、表示制御部１９５は、撮像装置１ａの現在地から周囲の撮影スポットを含み、過去の画像の位置を含まない地図を第１表示部１５に表示させる（ステップＳ２０６）。ステップＳ２０６の後、撮像装置１ａは、ステップＳ２０５へ移行する。
【００６５】
図７は、第１表示部１５が撮影モード時に表示する画像の一例を示す図である。図７に示すように、表示制御部１９５は、第１表示部１５に地図Ｍ１を表示させる。この場合、表示制御部１９５は、地図取得部１９２が地図情報記録部１８３から取得した撮影画像の位置がない状態の地図Ｍ１を第１表示部１５に表示させる。
【００６６】
これにより、ユーザは、次の撮影スポットや対象物を直感的に把握することができる。このとき、地図取得部１９２は、推測部１９３が画像データ記録部１８２に記録された画像データに対応付けられた位置情報に基づいて、推測されるユーザの進行方向の地図を地図情報記録部１８３から取得する。
【００６７】
ステップＳ２０２において、過去の画像が複数ない場合（ステップＳ２０２：Ｎｏ）、表示制御部１９５は、撮像装置１ａの進行方向を優先した撮像装置１ａの周囲の撮影スポットを含む地図を第１表示部１５に表示させる（ステップＳ２０７）。例えば、表示制御部１９５は、図７に示す地図Ｍ１を第１表示部１５に表示させる。ステップＳ２０７の後、撮像装置１ａは、ステップＳ２０５へ移行する。
【００６８】
ステップＳ２０１において、画像データ記録部１８２に過去の画像データがない場合（ステップＳ２０１：Ｎｏ）について説明する。この場合、撮像装置１ａは、後述するステップＳ２０８へ移行する。
【００６９】
続いて、位置取得部１１が撮像装置１ａの現在位置を取得可能である場合（ステップＳ２０８：Ｙｅｓ）、表示制御部１９５は、地図取得部１９２が位置情報に応じて地図情報記録部１８３から取得した撮像装置１ａの現在地の周囲の撮影スポットを含む地図を第１表示部１５に表示させる（ステップＳ２０９）。ステップＳ２０９の後、撮像装置１ａは、ステップＳ２０５へ移行する。
【００７０】
ステップＳ２０８において、位置取得部１１が撮像装置１ａの現在位置を取得可能でない場合（ステップＳ２０８：Ｎｏ）表示制御部１９５は、過去に表示した最新の地図を第１表示部１５に表示させる（ステップＳ２１０）。ステップＳ２１０の後、撮像装置１ａは、ステップＳ２０５へ移行する。
【００７１】
〔第２地図表示処理〕
次に、図２のステップＳ１２０で説明した第２地図表示処理の概要について説明する。図９は、第２地図表示処理の概要を示すフローチャートである。
【００７２】
図９に示すように、画像データ記録部１８２に過去の画像データがある場合（ステップＳ３０１：Ｙｅｓ）、表示制御部１９５は、地図取得部１９２が地図情報記録部１８３から取得した特定期間、例えば１時間または２４時間以内の過去画像を含む地図を第１表示部１５に表示させるとともに、地図上に過去の画像位置の位置情報を重畳して第１表示部１５に表示させる（ステップＳ３０２）。
【００７３】
図８は、第１表示部１５が再生モード時に表示する画像の一例を示す図である。図８に示すように、表示制御部１９５は、地図Ｍ２を第１表示部１５に表示させる。図８において、表示制御部１９５は、撮像装置１ａの現在地を点Ｐ１、地図Ｍ１２上において撮影した撮影場所の位置情報をアイコンＰ２１、アイコンＰ２２および最新の画像データを地図Ｍ１に対応付けた位置をアイコンＰＷ１によって地図上に重畳して第１表示部１５に表示させる。これにより、ユーザは、撮影画像の位置を直感的に把握することができる。
【００７４】
また、表示制御部１９５は、撮像装置１ａの設定が撮影モードから再生モードに切り替わる場合、位置取得部１１が取得した位置情報を含む領域の一部が重なる地図を第１表示部１５に表示させる。具体的には、図７および図８に示すように、表示制御部１９５は、撮像装置１ａの設定が撮影モードから再生モードに切り替わる場合において、第１表示部１５が地図Ｍ１を表示しているとき、地図Ｍ１と、現在地の点Ｐ１を含む領域の一部とが重なるように地図Ｍ１から地図Ｍ２を第１表示部１５に表示させる（図７→図８）。この場合、地図取得部１９２は、位置取得部１１が取得した位置情報を含む領域が重なるように地図情報記録部１８３から地図データを取得し、表示制御部１９５は、地図取得部１９２が取得した地図データを第１表示部１５に表示させる。
【００７５】
これにより、ユーザは、撮像装置１ａにおいて撮影モードと再生モードとを切り替えることで、現在地を中心にして撮影スポットと移動履歴とを直感的に容易に把握することができる。なお、表示制御部１９５は、撮像装置１ａが再生モードから撮影モードに切り替わる場合、現在地の点Ｐ１が重なるように地図Ｍ２から地図Ｍ１を第１表示部１５に表示させてもよい（図８→図７）。
【００７６】
続いて、表示制御部１９５は、第１表示部１５が表示する地図上に、地図の表示を終了する終了アイコンと撮像装置１ａの現在地を重畳して表示させる（ステップＳ３０３）。ステップＳ３０３の後、撮像装置１ａは、図２のメインルーチンへ戻る。
【００７７】
ステップＳ３０１において、画像データ記録部１８２に過去の画像データがない場合（ステップＳ３０１：Ｎｏ）、表示制御部１９５は、第１表示部１５に地図を表示できない旨の警告を表示する（ステップＳ３０４）。
【００７８】
続いて、表示制御部１９５は、第１表示部１５に地図の表示を終了する終了アイコンを表示させる（ステップＳ３０５）。ステップＳ３０５の後、撮像装置１ａは、図２のメインルーチンへ戻る。
【００７９】
以上説明した本発明の実施の形態１によれば、表示制御部１９５が撮影モードまたは再生モードで地図の内容を変更して第１表示部１５または第２表示部１６２に表示させるので、利用シーンに適した地図を表示することができる。
【００８０】
また、本発明の実施の形態１によれば、撮像装置１ａの設定を撮影モードから再生モードに切り替えた場合または再生モードから撮影モードに切り替えた場合、モードが切り替える直前に第１表示部１５または第２表示部１６２が表示した地図と、表示制御部１９５が位置取得部１１によって取得された位置情報を含む領域の一部とが重なるように地図の表示範囲を変更して第１表示部１５または第２表示部１６２に表示させるので、ユーザは、移動して軌跡を把握しながら、次の撮影スポットを直感的に把握することができる。
【００８１】
また、本発明の実施の形態１によれば、表示制御部１９５が撮像部１０の撮影方向を含む視野領域の対象物情報が付加された地図を第２表示部１６２に表示させるので、ユーザは、撮影しながら撮影スポットを直感的に把握することができる。
【００８２】
また、本発明の実施の形態１によれば、撮像装置１ａが撮影モードの場合、位置取得部１１が取得した位置情報に応じた現在地付近から撮影可能な対象物情報が付加された地図を第１表示部１５に表示させるので、ユーザは、撮影スポットを直感的に把握することができる。
【００８３】
また、本発明の実施の形態１によれば、撮像装置１ａが再生モードの場合、位置取得部１１が取得した位置情報に応じた現在地付近から表示可能な画像データを撮影した位置情報が付加された地図を第１表示部１５に表示させるので、ユーザは、直感的に移動の軌跡を把握することができる。
【００８４】
なお、本発明の実施の形態１では、地図取得部１９２が地図情報記録部１８３から地図データを取得していたが、例えば第１通信部１３を介して地図データを記録するサーバから位置取得部１１が取得した位置情報に基づいて地図データを取得してもよい。
【００８５】
また、本発明の実施の形態１では、表示制御部１９５が撮影モードと再生モードとで、地図の表示範囲および地図情報の表示内容それぞれを変更していたが、撮像装置１ａに予め設定された複数のモードそれぞれに基づいて、地図の表示範囲および地図情報の表示内容それぞれを変更してもよい。例えば、表示制御部１９５は、撮像装置１ａのモードが夜景撮影モードに設定されている場合、撮像部１０の撮影方向を含む視野領域における夜景スポットや工場や高速道路等の建築物のみを対象物として地図に付加して第１表示部１５または第２表示部１６２に表示させてもよい。さらに、表示制御部１９５は、撮像装置１ａのモードが風景撮影モードに設定されている場合、撮像部１０の撮影方向を含む視野領域におけるランドマークや山のみを対象物として地図に付加して第１表示部１５または第２表示部１６２に表示させてもよい。さらにまた、表示制御部１９５は、撮像装置１ａのモードが長時間露光モードやタイムラプス撮影モードに設定されている場合、撮像部１０の撮影方向を含む視野領域内において撮影可能な星、星座および流星等を対象物として地図に付加して第１表示部１５または第２表示部１６２に表示させてもよい。この場合、表示制御部１９５は、季節、時間および位置情報に基づいて、星、星座および流星等を対象物として地図に付加すればよい。
【００８６】
（実施の形態２）
次に、本発明の実施の形態２について説明する。本実施の形態２は、上述した実施の形態１に係る撮像装置１ａと構成が異なるうえ、実行する処理が異なる。具体的には、本実施の形態２は、外部機器としての通信機器を介して地図データを取得し、この取得した地図データを用いて撮影画像の撮影位置および撮影スポットを反映させて地図を表示する。また、本実施の形態２では、ネットワーク（インターネット）を介して地図データを取得する第１の機器と、表示部を有する第２の機器（表示装置）とからなる主に地図を表示装置に表示する地図表示システムであるが、上記第１と第２の機器それぞれがお互いに通信する通信部を有し、上記表示部に上記地図データ（地図情報）の一部を表示するために、上記第１の機器が、上記地図データの一部を指定したり、反対に上記第２の機器が、上記地図データの一部を指定したりする地図取得部とを有することを特徴とする地図表示システムとなっている。ここでは、カメラ（撮像装置）を表示装置（つまり第２の機器）の例にして、使用シーンと必要地図部の関係を最適化した例を示す。このため、以下においては、本実施の形態２に係る撮像装置および通信機器それぞれの構成を説明後、本実施の形態２に係る撮像装置および外部機器それぞれが実行する処理について説明する。さらに、本実施の形態２では、地図表示システムの一例として撮像システムを例に説明する。
【００８７】
〔撮像システムの構成〕
図１０は、本実施の形態２に係る撮像システムの機能構成を示すブロック図である。図１０に示す撮像システム１００は、撮像装置１ｂと、通信機器２と、を備える。撮像装置１ｂおよび通信機器２は、無線通信により互いに情報の送受信可能に接続されている。
【００８８】
〔撮像装置１ｂの構成〕
まず、撮像装置１ｂの構成について説明する。
撮像装置１ｂは、撮像部１０と、位置取得部１１と、方位検出部１２と、第１通信部１３と、第２通信部１４と、第１表示部１５と、操作部１７と、記録部１８ｂと、制御部１９と、を備える。
【００８９】
〔通信機器２の構成〕
次に、通信機器２の構成について説明する。
通信機器２は、第１通信部２０と、第２通信部２１と、位置取得部２２と、方位検出部２３と、通信撮像部２４と、表示部２５と、操作部２６と、記録部２７と、通信側制御部２８と、を備える。
【００９０】
第１通信部２０は、通信側制御部２８の制御のもと、外部機器、例えば撮像装置１ｂとの間で第１通信に必要な信号を含む各種データの無線通信を所定のプロトコルに従って行う。
【００９１】
第２通信部２１は、通信側制御部２８の制御のもと、撮像装置１ｂとの間で第１通信部２０と異なる通信方式である第２通信を行うための通信インターフェースである。
【００９２】
位置取得部２２は、地上の物体の位置を測位する測定手段であるＧＰＳを構成する複数のＧＰＳ衛星から送信されてくる衛星の軌道情報を受信し、この受信した軌道情報に基づいて、撮影時や画像再生時における通信機器２の位置情報を取得し、この位置情報を通信側制御部２８に出力する。
【００９３】
方位検出部２３は、表示部２５の表示領域が略水平になる場合において、通信機器２の所定の位置、例えば通信機器２の上端を基準方位としたときの通信機器２の方位を方位情報として検出し、この検出結果を通信側制御部２８へ出力する。
【００９４】
通信撮像部２４は、通信側制御部２８の制御のもと、被写体を撮像し、この被写体の画像データを生成して通信側制御部２８へ出力する。通信撮像部２４は、少なくとも被写体の被写体像を結像する光学系と、この光学系が結像した被写体像を受光して光電変換を行うことによって画像データを生成する撮像素子と、を有する。
【００９５】
表示部２５は、通信側制御部２８の制御のもと、通信撮像部２４が撮像した画像データに対応する画像、第１通信部２０を介して取得された画像データに対応する画像や情報を表示する。表示部２５は、液晶または有機ＥＬからなる表示パネルと駆動ドライバ等を用いて構成される。
【００９６】
操作部２６は、通信機器２に関する各種の動作を指示する指示信号の入力を受け付ける。操作部２６は、タッチパネル２６１を有する。タッチパネル２６１は、表示部２５の表示領域に重畳して設けられ、外部からの物体の接触位置に応じた信号の入力を受け付ける。
【００９７】
記録部２７は、通信側制御部２８を介して入力される画像データおよび通信機器２を動作させるためのプログラム等を記録する。具体的には、記録部２７は、通信機器２を動作させるためのプログラム記録部２７１と、画像データを記録する画像データ記録部２７２と、地図データおよび対象物情報を記録する地図情報記録部２７３と、を有する。記録部２７は、ＳＤＲＡＭ、Ｆｌａｓｈメモリおよびメモリカード等を用いて構成される。
【００９８】
通信側制御部２８は、通信機器２を構成する各部に対する指示やデータの点灯等を行うことによって、通信機器２の動作を統括的に制御する。通信側制御部２８は、ＣＰＵ等を用いて構成される。
【００９９】
ここで、通信側制御部２８の詳細な構成について説明する。通信側制御部２８は、地図取得部２８１と、通信制御部２８２と、撮影制御部２８３と、表示制御部２８４と、を有する。
【０１００】
地図取得部２８１は、位置取得部２２が取得した位置情報に基づいて、通信機器２の現在地に対応する地図データを地図情報記録部２７３から取得する。また、地図取得部２８１は、第１通信部２０を介して撮像装置１ｂから送信された位置情報に応じた地図データを地図情報記録部２７３から取得し、この取得した地図データを撮像装置１ｂへ送信する。また、地図取得部２８１は、第１通信部２０を介して撮像装置１ｂから送信された画像データに対応付けられた位置情報に応じた地図データを地図情報記録部２７３から取得し、この取得した地図データを撮像装置１ｂへ送信する。
【０１０１】
通信制御部２８２は、第１通信部２０および第２通信部２１それぞれの通信を制御する。具体的には、通信制御部２８２は、撮像装置１ｂに地図データを送信する場合、第１通信部２０に地図データを送信させる。
【０１０２】
撮影制御部２８３は、通信撮像部２４の撮影を制御する。具体的には、撮影制御部２８３は、操作部２６の操作に基づいて、通信撮像部２４の撮影を実行する。
【０１０３】
表示制御部２８４は、表示部２５の表示態様を制御する。また、表示制御部２８４は、撮像装置１ｂから送信された位置情報に応じて地図取得部２８１が地図情報記録部２７３から取得した地図データに対応する地図を表示部２５に表示させる。
【０１０４】
以上の構成を有する撮像システム１００の処理について説明する。なお、以下では、撮像システム１００の動作として、撮像装置１ｂの処理の説明後、通信機器２の処理について説明する。
【０１０５】
〔撮像装置１ｂの処理〕
まず、撮像装置１ｂが実行する処理について説明する。図１１は、撮像装置１ｂが実行する処理の概要を示すフローチャートである。
【０１０６】
図１１に示すステップＳ４０１〜ステップＳ４０４は、上述した図２のステップＳ１０１〜ステップＳ１０４にそれぞれ対応する。
【０１０７】
ステップＳ４０５において、位置取得部１１は、撮像装置１ｂの現在地に関する位置情報を取得する。
【０１０８】
続いて、表示制御部１９５は、撮像部１０が生成した画像データに対応するライブビュー画像を第１表示部１５に表示させ（ステップＳ４０６）、ライブビュー画像上に、地図の表示を指示する指示信号の入力を受け付ける地図アイコンを重畳して第１表示部１５に表示させる（ステップＳ４０７）。
【０１０９】
その後、操作部１７の操作に応じて地図アイコンが選択された場合（ステップＳ４０８：Ｙｅｓ）、通信制御部１９６は、第１通信部１３を介して通信機器２と通信して地図データを要求する（ステップＳ４０９）。この要求には、位置取得部１１が取得した撮像装置１ｂの現在地に関する位置情報が含まれる。
【０１１０】
続いて、通信機器２から地図データを受信した場合（ステップＳ４１０：Ｙｅｓ）、表示制御部１９５は、通信機器２から受信した地図データに対応する地図を第１表示部１５に表示させる（ステップＳ４１１）。
【０１１１】
図１２は、撮像装置１ｂと通信機器２との画像のやり取りを模式的に示す図である。図１２に示すように、表示制御部１９５は、通信機器２から受信した地図データに対応する地図Ｍ１を第１表示部１５に表示させる。この場合、通信機器２は、撮像装置１ｂから受信した位置情報に基づいて、対象物、この対象物を撮影可能な撮影スポットと地図上の位置とを対応付けた対象物情報が含まれる地図データを記録するサーバから撮像部１０の撮影方向を含む視野領域の撮影スポットを含む地図データを取得して撮像装置１ｂへ送信する。
【０１１２】
このとき、通信機器２は、撮像装置１ｂが撮影した位置情報がない状態の地図データを撮像装置１ｂへ送信する。例えば、図１２に示すように、通信機器２は、サーバから取得して表示部２５で表示している画像Ｍ１０において、領域Ｍ１０ａに対応する地図データを撮像装置１ｂへ送信する。これにより、ユーザは、現在地から撮影可能な対象物や撮影スポットを直感的に把握することができる。
【０１１３】
ステップＳ４１１の後、撮像装置１ｂは、後述するステップＳ４１２へ移行する。これに対して、通信機器２から地図データを受信していない場合（ステップＳ４１０：Ｎｏ）、撮像装置１ｂは、ステップＳ４０９へ戻る。
【０１１４】
ステップＳ４１２において、操作部１７の操作に応じて、地図の表示を終了する場合（ステップＳ４１２：Ｙｅｓ）、表示制御部１９５は、撮像部１０が生成した画像データに対応するライブビュー画像を第１表示部１５に表示させる（ステップＳ４１３）。ステップＳ４１３の後、撮像装置１ｂは、後述するステップＳ４１４へ移行する。これに対して、操作部１７の操作に応じて、地図の表示を終了しない場合（ステップＳ４１２：Ｎｏ）、撮像装置１ｂは、ステップＳ４１１へ戻る。
【０１１５】
ステップＳ４１４において、操作部１７からレリーズ信号が入力され、撮影を行う場合（ステップＳ４１４：Ｙｅｓ）、撮影制御部１９４は、位置取得部１１が取得した撮像装置１ｂの位置情報と、撮像部１０に撮影させて生成させた画像データと、を対応付けて画像データ記録部１８２に記録する（ステップＳ４１５）。
【０１１６】
続いて、操作部１７を介して撮像装置１ｂの電源がオフになった場合（ステップＳ４１６：Ｙｅｓ）、撮像装置１ｂは、本処理を終了する。これに対して、操作部１７を介して撮像装置１ｂの電源がオフになっていない場合（ステップＳ４１６：Ｎｏ）、撮像装置１ｂは、ステップＳ４０１へ戻る。
【０１１７】
ステップＳ４１４において、操作部１７からレリーズ信号が入力されず、撮影を行わない場合（ステップＳ４１４：Ｎｏ）、撮像装置１ｂは、ステップＳ４１６へ移行する。
【０１１８】
ステップＳ４０８において、操作部１７の操作に応じて地図アイコンが選択されていない場合（ステップＳ４０８：Ｎｏ）、撮像装置１ｂは、ステップＳ４１４へ移行する。
【０１１９】
ステップＳ４１７〜ステップＳ４１９は、上述した図２のステップＳ１１７〜ステップＳ１１９にそれぞれ対応する。
【０１２０】
ステップＳ４２０において、通信制御部１９６は、第１通信部１３を介して通信機器２と通信して地図データを要求する。
【０１２１】
続いて、通信機器２から地図データを受信した場合（ステップＳ４２１：Ｙｅｓ）、表示制御部１９５は、通信機器２から受信した地図データに対応する地図を第１表示部１５に表示させる（ステップＳ４２２）。
【０１２２】
その後、操作部１７の操作に応じて、地図の表示を終了する場合（ステップＳ４２３：Ｙｅｓ）、撮像装置１ｂは、ステップＳ４１８へ戻る。これに対して、操作部１７の操作に応じて、地図の表示を終了しない場合（ステップＳ４２３：Ｎｏ）、撮像装置１ｂは、ステップＳ４２２へ戻る。
【０１２３】
ステップＳ４２１において、通信機器２から地図データを受信していない場合（ステップＳ４２１：Ｎｏ）、撮像装置１ｂは、ステップＳ４２０へ戻る。
【０１２４】
ステップＳ４２４〜ステップＳ４２７は、上述した図２のステップＳ１２２〜ステップＳ１２５それぞれに対応する。
【０１２５】
ステップＳ４２８において、モード設定部１９１によって通信撮影モードが設定されている場合（ステップＳ４２８：Ｙｅｓ）、通信制御部１９６は、第１通信部１３を介して撮像部１０が生成する画像データを通信機器２へ送信する（ステップＳ４２９）。ステップＳ４２９の後、撮像装置１ｂは、ステップＳ４１６へ移行する。
【０１２６】
ステップＳ４２８において、モード設定部１９１によって通信撮影モードが設定されていない場合（ステップＳ４２８：Ｎｏ）、撮像装置１ｂは、ステップＳ４３０へ移行する。
【０１２７】
続いて、撮像装置１ｂは、通信機器２に画像データを送信または所定のアドレス情報を双方向に行う通信設定処理を実行する（ステップＳ４３０）。ステップＳ４３０の後、撮像装置１ｂは、ステップＳ４１６へ移行する。
【０１２８】
〔通信機器２の処理〕
次に、通信機器２が実行する処理について説明する。図１３は、通信機器２が実行する処理の概要を示すフローチャートである。
【０１２９】
図１３に示すように、通信機器２が通信撮影モードに設定されている場合（ステップＳ５０１：Ｙｅｓ）について説明する。この場合、通信制御部２８２は、第１通信部２０を介して撮像装置１ｂと通信を行う（ステップＳ５０２）。
【０１３０】
撮像装置１ｂから画像データを受信した場合（ステップＳ５０３：Ｙｅｓ）において、撮像装置１ｂから受信した画像データに位置情報があるとき（ステップＳ５０４：Ｙｅｓ）、地図取得部２８１は、位置情報に基づいて、撮像装置１ｂから受信した画像データを地図データに対応する地図上の位置に関連付けて地図情報記録部２７３に記録する（ステップＳ５０５）。ステップＳ５０５の後、通信機器２は、後述するステップＳ５０７へ移行する。
【０１３１】
ステップＳ５０４において、撮像装置１ｂから受信した画像データに位置情報がないとき（ステップＳ５０４：Ｎｏ）、地図取得部２８１は、直前の位置情報に基づいて、撮像装置１ｂから受信した画像データを地図データに対応する地図上の位置に関連付けて地図情報記録部２７３に記録する（ステップＳ５０６）。ステップＳ５０６の後、通信機器２は、後述するステップＳ５０７へ移行する。
【０１３２】
ステップＳ５０３において、撮像装置１ｂから画像データを受信していない場合（ステップＳ５０３：Ｎｏ）、通信機器２は、後述するステップＳ５０７へ移行する。
【０１３３】
ステップＳ５０７において、撮像装置１ｂの撮影モード時に地図データの要求があった場合（ステップＳ５０７：Ｙｅｓ）、通信制御部２８２は、撮像装置１ｂの撮影履歴に基づいて、撮像装置１ｂの撮影方向を含む視野領域の地図データを撮像装置１ｂに送信する（ステップＳ５０８）。
【０１３４】
具体的には、通信制御部２８２は、地図情報記録部２７３が記録する地図情報に含まれる最新の位置情報に基づいて、地図取得部２８１がサーバまたは地図情報記録部２７３から取得した撮像部１０の撮影方向を含む視野領域の撮影スポットを含む地図データを撮像装置１ｂへ送信する。例えば、上述した図１２に示すように、通信制御部２８２は、表示部２５で表示している画像Ｍ１０において、領域Ｍ１０ａに対応する地図データを撮像装置１ｂへ送信する。
【０１３５】
これにより、撮像装置１ｂのユーザは、現在地から撮影可能な対象物や撮影スポットを直感的に把握することができる。なお、地図取得部２８１は、位置取得部２２が取得した位置情報に基づいて、サーバまたは地図情報記録部２７３から地図データを取得してもよい。さらに、地図取得部２８１は、撮像装置１ｂから送信された画像データに対応付けられた位置情報に基づいて、地図データを記録するサーバまたは地図情報記録部２７３から地図データを取得してもよい。
【０１３６】
ステップＳ５０９において、操作部１７を介して通信機器２の電源がオフになった場合（ステップＳ５０９：Ｙｅｓ）、通信機器２は、本処理を終了する。これに対して、操作部１７を介して通信機器２の電源がオフになっていない場合（ステップＳ５０９：Ｎｏ）、通信機器２は、ステップＳ５０１へ戻る。
【０１３７】
ステップＳ５０７において、撮像装置１ｂの撮影モード時に地図データの要求がない場合（ステップＳ５０７：Ｎｏ）、通信機器２は、ステップＳ５１０へ移行する。
【０１３８】
続いて、撮像装置１ｂの再生モード時に地図データの要求があった場合（ステップＳ５１０：Ｙｅｓ）、通信制御部２８２は、撮像装置１ｂの撮影履歴に基づいて、撮像装置１ｂに地図データを送信する（ステップＳ５１１）。ステップＳ５１１の後、通信機器２は、ステップＳ５０９へ移行する。
【０１３９】
ステップＳ５１０において、撮像装置１ｂの再生モード時に地図データの要求がない場合（ステップＳ５１０：Ｎｏ）、通信機器２は、ステップＳ５０９へ移行する。
【０１４０】
ステップＳ５０１において、通信機器２が通信撮影モードに設定されていない場合（ステップＳ５０１：Ｎｏ）、通信機器２は、その他のモード処理を実行する（ステップＳ５１２）。ここで、その他のモード処理としては、他の通信機器と通話を行う通話処理等である。ステップＳ５１２の後、通信機器２は、ステップＳ５０９へ移行する。
【０１４１】
以上説明した本発明の実施の形態２によれば、通信機器２を介して利用シーンに適した地図データを取得することができる。
【０１４２】
また、本発明の実施の形態２によれば、地図取得部２８１が撮像装置１ｂから送信された画像データに対応付けられた位置情報に応じた地図データを地図情報記録部２７３から取得して撮像装置１ｂへ送信するので、撮像装置１ｂの位置取得部１１が位置情報を取得できない場合に撮像装置１ｂの現在地に対応する地図データを送付することができる。
【０１４３】
なお、本発明の実施の形態２では、地図取得部１９２が第１通信部１３および通信機器２を介してネットワークから地図データの一部（地図の表示範囲）を指定して取得し、表示制御部１９５が地図取得部１９２によって取得された地図データの一部を第１表示部１５に表示させてもよい。これにより、撮像装置１ｂ側で地図の表示範囲を指定することができるうえ、通信機器２が表示する地図と異なるものを表示することができる。
【０１４４】
また、本発明の実施の形態２では、撮像装置１ｂの第１表示部１５に地図データに対応する地図の一部を表示するために、地図取得部２８１がネットワークを介して地図データの一部を指定して取得し、通信制御部２８２が地図取得部２８１によって取得された地図データの一部を、第１通信部２０を介して撮像装置１ｂへ送信させてもよい。これにより、通信機器２側で地図の表示範囲を指定することができるうえ、撮像装置１ｂの第１表示部１５より表示領域を有する表示部２５によって容易に操作することができる。これにより、例えば、撮像装置１ｂが眼鏡型端末や腕時計型端末の場合、所望の地図の表示範囲を容易に指定することができる。
【０１４５】
（実施の形態３）
次に、本発明の実施の形態３について説明する。本実施の形態３は、上述した実施の形態２に係る撮像システム１００と構成が異なるうえ、実行する処理が異なる。具体的には、本実施の形態３に係る撮像システムは、撮像装置が撮像機能と通信機能のみを備える。このため、以下においては、本実施の形態３に係る撮像システムの構成を説明後、本実施の形態３に係る撮像システムが実行する処理について説明する。なお、上述した実施の形態２に係る撮像システム１００と同一の構成には、同一の符号を付して説明を省略する。
【０１４６】
〔撮像システムの概略構成〕
図１４は、本実施の形態３に係る撮像システム１１０の概略構成図である。図１５は、本実施の形態３に係る撮像システム１１０の機能構成を示すブロック図である。
【０１４７】
図１４および図１５に示す撮像システム１１０は、無線通信または有線通信により互いに情報の送受信を可能に接続する撮像装置１ｃおよび通信機器２と、撮像装置１ｃと通信機器２とを接続するためのアタッチメント３（図１４を参照）と、を備える。
【０１４８】
〔撮像装置１ｃの構成〕
まず、撮像装置１ｃの構成について説明する。
撮像装置１ｃは、被写体や対象物を撮像して画像データを生成し、ネットワークを介して通信機器２へ画像データや通信機器２を特定するためのネットワーク識別子を送信する。撮像装置１ｃは、図１４に示すように、筒状をなし、所謂交換レンズの全体形状と略同様の形状を有する。なお、図１４において、撮像装置１ｃが筒状であるが、例えば小型ビデオカメラ、箱状のデジタル一眼レフカメラ、アクションカメラまたはウェアブルカメラであってもよい。
【０１４９】
撮像装置１ｃは、撮像部１０と、第１通信部１３と、操作部１７と、記録部１８ｃと、制御部１９ｃと、を備える。制御部１９ｃは、撮影制御部１９４および通信制御部１９６のみを備える。
【０１５０】
〔アタッチメント３の構成〕
次に、アタッチメント３の構成について説明する。アタッチメント３は、撮像装置１ｃおよび通信機器２を機械的に接続する部材である。具体的には、アタッチメント３は、図１４に示すように、通信機器２の背面に装着される。また、アタッチメント３は、平面視で円形を有し、撮像装置１ｃが嵌め込まれる取付用穴３１が設けられている。
【０１５１】
以上の構成を有する撮像システム１１０は、アタッチメント３を介して撮像装置１ｃおよび通信機器２が機械的に接続された状態で、デジタルカメラをイメージする形状となる。なお、撮像システム１１０としては、アタッチメント３を備えた構成に限らず、アタッチメント３を省略した構成としてもよい。
【０１５２】
次に、上述した撮像システム１１０の処理について説明する。なお、以下においては、撮像システム１１０の処理として、撮像装置１ｃの処理の説明後、通信機器２の処理について説明する。
【０１５３】
〔撮像装置１ｃの処理〕
まず、撮像装置１ｃが実行する処理について説明する。図１６は、撮像装置１ｃが実行する処理の概要を示すフローチャートである。
【０１５４】
図１６に示すステップＳ６０１〜ステップＳ６０４は、上述した図２のステップＳ１０１〜ステップＳ１０４にそれぞれ対応する。ステップＳ６０５〜ステップＳ６０７は、上述した図２のステップＳ１１２〜ステップＳ１１４にそれぞれ対応する。
【０１５５】
ステップＳ６０８において、撮像装置１ｃが画像送信モードに設定指示されている場合（ステップＳ６０８：Ｙｅｓ）、通信制御部１９６は、第１通信部１３を介して画像データ記録部１８２が記録する複数の画像データそれぞれに対応するサムネイル画像の一覧を通信機器２へ送信する（ステップＳ６０９）。
【０１５６】
続いて、第１通信部１３を介して通信機器２から画像の要求がある場合（ステップＳ６１０：Ｙｅｓ）、通信制御部１９６は、第１通信部１３を介して通信機器２から要求があった対応画像データを通信機器２へ送信する（ステップＳ６１１）。ステップＳ６１１の後、撮像装置１ｃは、ステップＳ６０７へ移行する。
【０１５７】
ステップＳ６１０において、第１通信部１３を介して通信機器２から画像の要求がない場合（ステップＳ６１０：Ｎｏ）、撮像装置１ｃは、ステップＳ６０７へ移行する。
【０１５８】
ステップＳ６０８において、撮像装置１ｃが画像送信モードに設定指示されていない場合（ステップＳ６０８：Ｎｏ）、撮像装置１ｃは、通信機器２へアドレス情報を送付する通信設定処理を実行する（ステップＳ６１２）。ステップＳ６１２の後、撮像装置１ｃは、ステップＳ６０７へ移行する。
【０１５９】
〔通信機器２の処理〕
次に、通信機器２が実行する処理について説明する。図１７は、通信機器２が実行する処理の概要を示すフローチャートである。
【０１６０】
図１７に示すように、まず、通信機器２が撮像装置１ｃと連携する場合（ステップＳ７０１：Ｙｅｓ）において、撮像装置１ｃを用いて撮影する撮影モードが設定されているとき（ステップＳ７０２：Ｙｅｓ）について説明する。このとき、位置取得部２２は、通信機器２の現在の位置情報を取得する（ステップＳ７０３）。
【０１６１】
続いて、通信制御部２８２は、第１通信部２０を介して撮像装置１ｃにライブビュー画像データを要求する（ステップＳ７０４）。
【０１６２】
その後、第１通信部２０を介して撮像装置１ｃからライブビュー画像データを受信した場合（ステップＳ７０５：Ｙｅｓ）、表示制御部２８４は、撮像装置１ｃから受信したライブビュー画像データに対応するライブビュー画像および地図アイコンを表示部２５に表示させる（ステップＳ７０６）。ステップＳ７０６の後、通信機器２は、後述するステップＳ７０７へ移行する。
【０１６３】
ステップＳ７０５において、第１通信部２０を介して撮像装置１ｃからライブビュー画像データを受信していない場合（ステップＳ７０５：Ｎｏ）、通信機器２は、ステップＳ７０４へ戻る。
【０１６４】
ステップＳ７０７において、操作部２６を介して撮像装置１ｃの撮影パラメータの変更があった場合（ステップＳ７０７：Ｙｅｓ）、通信制御部２８２は、第１通信部２０を介して撮像装置１ｃへ撮影パラメータの変更を指示する（ステップＳ７０８）。ステップＳ７０８の後、撮像装置１ｃは、後述するステップＳ７０９へ移行する。これに対して、操作部２６を介して撮像装置１ｃの撮影パラメータの変更がない場合（ステップＳ７０７：Ｎｏ）、通信機器２は、後述するステップＳ７０９へ移行する。
【０１６５】
ステップＳ７０９において、操作部２６を介して表示部２５が表示する地図アイコンが選択された場合（ステップＳ７０９：Ｙｅｓ）、表示制御部２８４は、通信機器２の移動方向に応じた地図データに対応する地図を表示部２５に表示させる（ステップＳ７１０）。
【０１６６】
具体的には、地図取得部２８１は、画像データ記録部２７２に記録された画像データに対応付けられた所定の期間内、例えば１時間または２４時間以内の位置情報に基づいて、地図情報記録部２７３から推測される移動方向の地図データを取得し、表示制御部２８４は、地図取得部２８１が取得した地図データに対応する地図を表示部２５に表示させる。これにより、ユーザは、対象物や撮影スポットを直感的に把握することができる。
【０１６７】
ステップＳ７１１において、操作部２６の操作に応じて、地図の表示を終了する場合（ステップＳ７１１：Ｙｅｓ）、通信機器２は、後述するステップＳ７１２へ移行する。これに対して、操作部２６の操作に応じて、地図の表示を終了しない場合（ステップＳ７１１：Ｎｏ）、通信機器２は、ステップＳ７１０へ戻る。
【０１６８】
ステップＳ７０９において、操作部２６を介して表示部２５が表示する地図アイコンが選択されていない場合（ステップＳ７０９：Ｎｏ）、通信機器２は、ステップＳ７１２へ移行する。
【０１６９】
ステップＳ７１２において、操作部２６の操作に応じて、撮影を行う場合（ステップＳ７１２：Ｙｅｓ）、通信制御部２８２は、第１通信部２０を介してレリーズ信号を送信する（ステップＳ７１３）。
【０１７０】
続いて、第１通信部２０を介して撮像装置１ｃから画像データを受信した場合（ステップＳ７１４：Ｙｅｓ）、撮影制御部２８３は、位置取得部２２が取得した位置情報と、撮像装置１ｃから受信した画像データと、を対応付けて画像データ記録部２７２に記録する（ステップＳ７１５）。
【０１７１】
その後、操作部２６の操作に応じて、通信機器２の電源がオフになった場合（ステップＳ７１６：Ｙｅｓ）、通信機器２は、本処理を終了する。これに対して、操作部２６の操作に応じて、通信機器２の電源がオフになっていない場合（ステップＳ７１６：Ｎｏ）、通信機器２は、ステップＳ７０１へ戻る。
【０１７２】
ステップＳ７１２において、操作部２６の操作に応じて、撮影を行わない場合（ステップＳ７１２：Ｎｏ）、通信機器２は、ステップＳ７１６へ移行する。
【０１７３】
ステップＳ７１４において、第１通信部２０を介して撮像装置１ｃから画像データを受信していない場合（ステップＳ７１４：Ｎｏ）、通信機器２は、ステップS７１３へ戻る。
【０１７４】
次に、通信機器２が撮像装置１ｃと連携する場合（ステップＳ７０１：Ｙｅｓ）において、通信機器２に撮像装置１ｃを用いて撮影する撮影モードが設定されていないとき（ステップＳ７０２：Ｎｏ）について説明する。このとき、通信機器２は、ステップＳ７１７へ移行する。
【０１７５】
続いて、通信機器２に再生モードが設定されている場合（ステップＳ７１７：Ｙｅｓ）、通信制御部２８２は、第１通信部２０を介して撮像装置１ｃに再生モードを指示する（ステップＳ７１８）とともに、画像データを要求する（ステップＳ７１９）。
【０１７６】
その後、第１通信部２０を介して撮像装置１ｃから画像データを受信した場合（ステップＳ７２０：Ｙｅｓ）、通信機器２は、後述するステップＳ７２１へ移行する。これに対して、第１通信部２０を介して撮像装置１ｃから画像データを受信していない場合（ステップＳ７２０：Ｎｏ）、通信機器２は、ステップＳ７１９へ戻る。
【０１７７】
ステップＳ７２１において、表示制御部２８４は、表示部２５に撮像装置１ｃから受信した画像データに対応する画像および地図の表示を指示する地図アイコンを表示させる。
【０１７８】
続いて、操作部２６を介して表示部２５が表示する複数の画像の中から画像が選択された場合（ステップＳ７２２：Ｙｅｓ）、表示制御部２８４は、操作部２６を介して選択された画像を表示部２５に全画面表示させる（ステップＳ７２３）。
【０１７９】
その後、地図取得部２８１は、画像データに対応付けられた位置情報に基づいて、画像を地図上の位置に関連付けて地図情報記録部２７３に記録する（ステップＳ７２４）。
【０１８０】
続いて、操作部２６の操作に応じて、再生モードを終了する場合（ステップＳ７２５：Ｙｅｓ）、通信機器２は、ステップＳ７１６へ移行する。これに対して、操作部２６の操作に応じて、再生モードを終了しない場合（ステップＳ７２５：Ｎｏ）、通信機器２は、ステップＳ７１８へ戻る。
【０１８１】
ステップＳ７２２において、操作部２６を介して表示部２５が表示する複数の画像の中から画像が選択されていない場合（ステップＳ７２２：Ｎｏ）、通信機器２は、ステップＳ７２６へ移行する。
【０１８２】
続いて、操作部２６を介して表示部２５が表示する地図アイコンが選択された場合（ステップＳ７２６：Ｙｅｓ）、表示制御部２８４は、地図情報記録部２７３に記録された撮影履歴に基づいて、表示部２５に地図を表示させる（ステップＳ７２７）。ステップＳ７２７の後、通信機器２は、ステップＳ７２５へ移行する。
【０１８３】
ステップＳ７２６において、操作部２６を介して表示部２５が表示する地図アイコンが選択されていない場合（ステップＳ７２６：Ｎｏ）、通信機器２は、ステップＳ７２５へ移行する。
【０１８４】
ステップＳ７０１において、通信機器２が撮像装置１ｃと連携しない場合（ステップＳ７０１：Ｎｏ）および通信機器２に再生モードが設定されていない場合（ステップＳ７１７：Ｎｏ）、通信機器２は、撮像装置１ｃと連携するための通信設定処理を実行する（ステップＳ７２８）。ステップＳ７２８の後、通信機器２は、ステップＳ７１６へ移行する。
【０１８５】
以上説明した本発明の実施の形態３によれば、通信機器２を介して利用シーンに適した地図データを取得することができる。
【０１８６】
また、本発明の実施の形態３によれば、地図取得部２８１が撮像装置１ｃから送信された画像データに対応付けられた位置情報に応じた地図データを地図情報記録部２７３から取得して撮像装置１ｃへ送信するので、撮像装置１ｃが位置情報を取得できない場合に撮像装置１ｃの現在地に対応する地図データを送付することができる。
【０１８７】
（実施の形態４）
次に、本発明の実施の形態４について説明する。本実施の形態４は、撮像装置がネットワークを介してサーバから地図データを取得する。このため、以下においては、本実施の形態４に係る通信システムを説明する。なお、上述した実施の形態１〜３に係る構成と同一の構成には同一の符号を付して説明を省略する。
【０１８８】
〔通信システムの概略構成〕
図１８は、本実施の形態４に係る通信システムの概略構成図である。図１８に示す通信システム２００は、撮像装置１ａと、撮像システム１００と、撮像システム１１０と、サーバ５と、を備える。撮像装置１ａ、撮像システム１００、撮像システム１１０およびサーバ５は、ネットワークＮを介して双方向に無線通信が可能に接続されている。なお、撮像装置１ａ、撮像システム１００、撮像システム１１０は、上述した実施の形態１〜３にそれぞれ対応するため、説明を省略する。このため、以下においては、サーバ５の構成のみ説明する。
【０１８９】
〔サーバ５の構成〕
図１９は、サーバ５の機能構成を示すブロック図である。図１９に示すサーバ５は、通信部５１と、画像データベース５２と、地図データベース５３と、サーバ制御部５４と、を備える。
【０１９０】
通信部５１は、所定の通信規格に従って、撮像装置１ａ、通信機器２のいずれかと通信を行って画像データの受信または地図データの送信を行う。
【０１９１】
画像データベース５２は、通信部５１を介して外部から受信した画像データを記録する。画像データベース５２は、ＳＤＲＡＭ、Ｆｌａｓｈメモリおよびハードディスク等の記録媒体を用いて構成される。
【０１９２】
地図データベース５３は、地図データおよび地図情報を記録する。地図データベース５３は、ＳＤＲＡＭおよびハードディスク等の記録媒体を用いて構成される。
【０１９３】
サーバ制御部５４は、ＣＰＵ等を用いて構成され、通信部５１を介して撮像装置１ａおよび通信機器２のいずれかから入力されるアクセス信号に応じて、地図データベース５３が記録する地図データを送信または受信した画像データを画像データベース５２に記録する。
【０１９４】
サーバ制御部５４は、アクセス判定部５４１と、地図情報取得部５４３と、通信制御部５４４と、を有する。
【０１９５】
アクセス判定部５４１は、ネットワークＮおよび通信部５１を介して受信したアクセス信号の機器を判定する。例えば、アクセス判定部５４１は、ネットワークＮおよび通信部５１を介してアクセス信号を受信した場合、このアクセス信号に基づいて、撮像装置１ａまたは通信機器２であるか否かを判定する。
【０１９６】
地図情報取得部５４３は、ネットワークＮおよび通信部５１を介して受信した撮像装置１ａまたは通信機器２の位置情報に基づいて、地図データベース５３から位置情報に応じた地図データを取得する。
【０１９７】
通信制御部５４４は、ネットワークＮおよび通信部５１を介して地図情報取得部５４３が取得した地図データをアクセス判定部５４１によって判定された機器へ送信する。
【０１９８】
以上説明した本発明の実施の形態４によれば、サーバ５が撮像装置１ａまたは通信機器２の接続に応じて、位置情報に対応した地図データを送信するので、ユーザは、最新の地図データを取得することができる。
【０１９９】
なお、本発明の実施の形態４では、地図取得部１９２が第１通信部１３および通信機器２を介してサーバ５から地図データの一部（地図の表示範囲）を指定して取得し、表示制御部１９５が地図取得部１９２によって取得された地図データの一部を第１表示部１５に表示させてもよい。これにより、撮像装置１ｂ側で地図の表示範囲を指定することができるうえ、通信機器２が表示する地図と異なるものを表示することができる。
【０２００】
また、本発明の実施の形態４では、撮像装置１ｂの第１表示部１５に地図データに対応する地図の一部を表示するために、地図取得部２８１がサーバ５から地図データの一部を指定して取得し、通信制御部２８２が地図取得部２８１によって取得された地図データの一部を、第１通信部２０を介して撮像装置１ｂへ送信させてもよい。これにより、通信機器２側で地図の表示範囲を指定することができるうえ、撮像装置１ｂの第１表示部１５より表示領域を有する表示部２５によって容易に操作することができる。これにより、例えば、撮像装置１ｂが眼鏡型端末や腕時計型端末の場合、所望の地図の表示範囲を容易に指定することができる。
【０２０１】
（その他の実施の形態）
また、本発明にかかる撮像装置は、デジタル一眼レフカメラ以外にも、たとえばアクセサリ等を装着可能なデジタルカメラ、デジタルビデオカメラおよび撮像機能を有する携帯電話やタブレット型携帯機器等の電子機器にも適用することができる。もちろん、撮像機能を有するのが必須ではなく、簡易型のナビゲーションシステムにも使うことが出来、特に眼鏡型端末や腕時計型端末に、必要な情報のみを表示する場合に、使いやすく非常に有効な技術となる。撮影や再生に関わらず、前を向けば行き先表示、後ろを向けば、来た道が分かるような地図表示にも応用ができる。この場合、この向きの検出は、表示機器の方位センサや加速度センサなどで判定してもよく、同様の機能をスマートフォン側に設けてもよい。
【０２０２】
また、本発明にかかる撮像装置およびＳＮＳサーバに実行させるプログラムは、インストール可能な形式または実行可能な形式のファイルデータでＣＤ−ＲＯＭ、フレキシブルディスク（ＦＤ）、ＣＤ−Ｒ、ＤＶＤ（Digital  Versatile  Disk）、ＵＳＢ媒体、フラッシュメモリ等のコンピュータで読み取り可能な記録媒体に記録されて提供される。
【０２０３】
また、本発明にかかる撮像装置、通信機器およびサーバに実行させるプログラムは、インターネット等のネットワークに接続されたコンピュータ上に格納し、ネットワーク経由でダウンロードさせることにより提供するように構成しても良い。さらに、本発明にかかる撮像装置および通信機器およびサーバに実行させるプログラムをインターネット等のネットワーク経由で提供または配布するように構成しても良い。
【０２０４】
なお、本明細書におけるフローチャートの説明では、「まず」、「その後」、「続いて」等の表現を用いてステップ間の処理の前後関係を明示していたが、本発明を実施するために必要な処理の順序は、それらの表現によって一意的に定められるわけではない。すなわち、本明細書で記載したフローチャートにおける処理の順序は、矛盾のない範囲で変更することができる。
【０２０５】
このように、本発明は、ここでは記載していない様々な実施の形態を含みうるものであり、特許請求の範囲によって特定される技術的思想の範囲内で種々の設計変更等を行うことが可能である。
【０２０６】
［付記項１］
被写体を撮像し、該被写体の画像データを生成する撮像部と、を備えた撮像装置であって、
当該撮像装置の現在地を示す位置情報を取得する位置取得部と、
前記撮像部が生成した前記画像データに対応する画像および／または前記位置取得部が取得した前記位置情報を含む地図データに対応する地図を表示可能な表示部と、
当該撮像装置が前記被写体を撮影する撮影モードに設定されている場合と前記画像データに対応する画像を前記表示部によって再生する再生モードに設定されている場合とで、前記位置取得部が取得した前記位置情報に基づいて、前記地図上における特定の位置と、該位置に関連付けられた所定の情報とを含む地図情報の表示内容および前記地図の表示範囲それぞれを変更して前記表示部に表示させる表示制御部と、
を備えたことを特徴とする撮像装置。
［付記項２］
前記表示制御部は、当該撮像装置が前記撮影モードから前記再生モードに切り替わる場合または当該撮像装置が前記再生モードから前記撮影モードに切り替わる場合において、モードが切り替わる直前に表示した前記地図と、前記位置情報を含む領域の一部とが重なるように前記地図の表示範囲を変更して前記表示部に表示させることを特徴とする付記項１に記載の撮像装置。
［付記項３］
前記所定の情報は、
対象物と、該対象物を撮影可能な撮影スポットとを対応付けた対象物情報、および前記撮像部が前記被写体を撮影した際に前記位置取得部が取得した前記位置情報であり、
前記表示制御部は、
当該撮像装置が前記撮影モードに設定されている場合、前記位置情報に対応する現在地付近から撮影可能な前記対象物情報が付加された前記地図を前記表示部に表示させる一方、当該撮像装置が前記再生モードに設定されている場合、前記位置情報に対応する現在地付近から表示可能な前記位置情報が付加された前記地図を前記表示部に表示させることを特徴とする付記項１または２に記載の撮像装置。
［付記項４］
前記表示制御部は、前記撮像部の撮影方向を含む視野領域における前記対象物情報が付加された前記地図を前記表示部に表示させることを特徴とする付記項３に記載の撮像装置。
［付記項５］
物体を検出する物体検出部をさらに備え、
前記表示部は、
前記画像データに対応する画像を表示可能な第１表示部と、
前記第１表示部の表示領域より小さい表示領域を有し、前記画像データに対応する画像を表示可能な第２表示部と、
を有し、
前記表示制御部は、前記物体検出部が前記物体を検出した場合、前記視野領域における前記対象物情報が付加された前記地図を前記第２表示部に表示させる一方、前記物体検出部が前記物体を検出しない場合、前記位置情報に応じた現在地付近の前記対象物情報が付加された前記地図を前記第１表示部に表示させることを特徴とする付記項４に記載の撮像装置。
［付記項６］
前記撮像部は、連続的に前記画像データを生成し、
前記表示制御部は、前記第２表示部に前記対象物情報が付加された前記地図および前記撮像部が連続的に生成する前記画像データに対応するライブビュー画像を前記第２表示部の表示領域上で並列に表示させることを特徴とする請求項５に記載の撮像装置。
［請求項７］
前記撮像部が生成した複数の前記画像データそれぞれに対して、前記位置取得部が取得した前記位置情報を対応付けて記録する画像データ記録部と、
前記画像データ記録部が記録する複数の前記画像データそれぞれに対応付けられた前記位置情報に基づいて、当該撮像装置の進行方向を推測する推測部と、
をさらに備え、
前記表示制御部は、当該撮像装置が前記撮影モードに設定されている場合、前記推測部が推測した前記進行方向に基づいて、前記対象物情報が付加された前記地図を前記表示部に表示させることを特徴とする付記項３に記載の撮像装置。
［付記項８］
前記地図データおよび前記地図情報を記録する地図情報記録部と、
前記位置取得部が取得した前記位置情報に基づいて、前記地図情報記録部から前記地図データおよび前記地図情報それぞれを取得する地図取得部と、
をさらに備え、
前記表示制御部は、前記地図取得部が取得した前記地図データに対応する地図および前記地図情報それぞれを前記表示部に表示させることを特徴とする付記項１〜７のいずれか一つに記載の撮像装置。
［付記項９］
前記位置取得部が取得した前記位置情報に基づいて、前記地図データおよび前記地図情報を記録する外部機器から前記地図データおよび前記地図情報それぞれを取得する地図取得部をさらに備え、
前記表示制御部は、前記地図取得部が取得した前記地図情報および前記地図データに対応する地図それぞれを前記表示部に表示させることを特徴とする付記項１〜７のいずれか一つに記載の撮像装置。
［付記項１０］
被写体を撮像し、該被写体の画像データを生成する撮像装置、および対象物と、該対象物を撮影可能な撮影スポットとを対応付けた地図情報が付加された地図データを記録するサーバと通信可能な通信機器であって、
前記撮像装置から受信した前記撮像装置の現在地を示す位置情報に基づいて、前記サーバから前記位置情報を含む前記地図データおよび前記地図情報それぞれを取得する地図取得部と、
前記地図取得部が取得した前記地図データおよび前記地図情報それぞれを前記撮像装置へ送信する通信部と、
を備えたことを特徴とする通信機器。
［付記項１１］
前記地図取得部は、前記撮像装置から送信された画像データに対応付けられた前記位置情報に基づいて、前記地図データおよび前記地図情報を取得することを特徴とする付記項１０に記載の通信機器。
［付記項１２］
被写体を撮像し、該被写体の画像データを生成する撮像部と、前記撮像部が生成した前記画像データに対応する画像および／または地図データに対応する地図を表示可能な表示部と、を備えた撮像装置が実行する撮影支援方法であって、
当該撮像装置の現在地に関する位置情報を取得する位置取得ステップと、
当該撮像装置が前記被写体を撮影する撮影モードに設定されている場合と前記画像データに対応する画像を前記表示部によって再生する再生モードに設定されている場合とで、前記位置取得ステップにおいて取得した前記位置情報に基づいて、前記地図上における特定の位置と、該位置に関連付けられた所定の情報とを含む地図情報の表示内容および前記地図の表示範囲それぞれを変更して前記表示部に表示させる表示制御ステップと、
を含むことを特徴とする撮影支援方法。
［付記項１３］
被写体を撮像し、該被写体の画像データを生成する撮像部と、前記撮像部が生成した前記画像データに対応する画像および／または地図データに対応する地図を表示可能な表示部と、を備えた撮像装置に、
当該撮像装置の現在地に関する位置情報を取得する位置取得ステップと、
当該撮像装置が前記被写体を撮影する撮影モードに設定されている場合と前記画像データに対応する画像を前記表示部によって再生する再生モードに設定されている場合とで、前記位置取得ステップにおいて取得した前記位置情報に基づいて、前記地図上における特定の位置と、該位置に関連付けられた所定の情報とを含む地図情報の表示内容および前記地図の表示範囲それぞれを変更して前記表示部に表示させる表示制御ステップと、
を実行させることを特徴とするプログラム。
【符号の説明】
【０２０７】
１ａ，１ｂ，１ｃ  撮像装置
２  通信機器
３  アタッチメント
５  サーバ
１０  撮像部
１１，２２  位置取得部
１２，２３  方位検出部
１３，２０  第１通信部
１４，２１  第２通信部
１５  第１表示部
１６  接眼表示部
１７，２６  操作部
１８，２７  記録部
１９  制御部
２４  通信撮像部
２５  表示部
２８  通信側制御部
５１  通信部
５２  画像データベース
５３  地図データベース
５４  サーバ制御部
１００，１１０  撮像システム
１６１  物体検出部
１６２  第２表示部
１７１，２６１  タッチパネル
１８１，２７１  プログラム記録部
１８２，２７２  画像データ記録部
１８３，２７３  地図情報記録部
１９１  モード設定部
１９２，２８１，５４３  地図取得部
１９３  推測部
１９４，２８３  撮影制御部
１９５，２８４  表示制御部
１９６，２８２，５４４  通信制御部
２００  通信システム
５４１  アクセス判定部
Ｎ  ネットワーク
【図１】
2015201727.tif 000003
【図２】
2015201727.tif 000004
【図３】
2015201727.tif 000005
【図４】
2015201727.tif 000006
【図５】
2015201727.tif 000007
【図６】
2015201727.tif 000008
【図７】
2015201727.tif 000009
【図８】
2015201727.tif 000010
【図９】
2015201727.tif 000011
【図１０】
2015201727.tif 000012
【図１１】
2015201727.tif 000013
【図１２】
2015201727.tif 000014
【図１３】
2015201727.tif 000015
【図１４】
2015201727.tif 000016
【図１５】
2015201727.tif 000017
【図１６】
2015201727.tif 000018
【図１７】
2015201727.tif 000019
【図１８】
2015201727.tif 000020
【図１９】
2015201727.tif 000021